(57)【特許請求の範囲】
【請求項１】
樹脂製の先軸と樹脂製の中軸の先方を互いに回転不能且つ抜け止め状態に固定し、中軸に一体化したガイド部の３箇所の案内溝に、夫々３種の筆記体をガイド部と摺動コマとの間にリターンスプリングを附勢して前後動自在に嵌装し、軸方向に変位するカム斜面を前端部に円周状に設けた円筒カムを中軸に対し回転可能に抜け止めし、各摺動コマをカム斜面に当接させることにより先軸又は中軸に対する円筒カムの回転によって交互に前後動させて、各筆記体の先端を先軸の先端口から選択的に出没可能とした複式筆記具に於いて、上記円筒カムの後方に軸方向に一体で接続した消しゴム繰り出し装置が配設されて、円筒カム及び消しゴム繰り出し装置を被覆して樹脂製の後軸が上記中軸の後方に所定範囲の軸推移と共に回転可能に止着され、上記消しゴム繰り出し装置の後端部が後軸後端孔から適宜突出され、且つ円筒カムは後軸に対し回転方向で一体と成され、中軸に対する後軸の回転によって交互に各摺動コマを前後動させて、各筆記体の先端を先軸先端口から突出可能とし、後軸に対する上記消しゴム繰り出し装置の後端部を回転することで消しゴムが出没可能となるように構成したことを特徴とする複式筆記具。
【請求項２】
３種の筆記体は、芯径又は芯色を変えた３種のシャープペンシル筆記体、ボール径又はインク色を変えた３種のボールペン等筆記体、或いはシャープペンシル筆記体とボールペン等筆記体を組み合わせた３種の筆記体で構成される上記請求項１記載の複式筆記具。
【請求項３】
少なくともシャープペンシル筆記体を選択した時に、円筒カムが中軸及び後軸に対し軸推移して芯の繰り出しが可能と成されたことを特徴とする上記請求項１記載の複式筆記具。
【請求項４】
中軸に対する円筒カムの回転に付いて、円筒カムの外周側面に設けた突起が中軸の外周側面に穿設した周溝に嵌入して円筒カムが中軸に対し抜け止めされると共に、円筒カムの先端で夫々の筆記体が先軸先端口から突出される範囲、略２４０度に回転するよう周溝が形成され、第２の筆記体が突出する位置、即ち略１２０度位置で周溝の後壁に段部を形成して上記突起が段部に当接することで円筒カムの回転阻止を可能とし、後軸と連動して円筒カムを所定範囲で軸推移した時に当接が解除されて、更に円筒カムが略１２０度回転可能となって第３の筆記体が突出可能となるように構成されたことを特徴とする上記請求項１記載の複式筆記具。
【請求項５】
上記消しゴム繰り出し装置は、円筒カム後方の筒部内孔部に螺旋溝が形成されて、前端から後端の天冠に至る長いスリットを有した内筒が上記筒部内に嵌装され、筒部後端に天冠が当接されると共に筒部に対し回転のみ可能に抜け止めされて、内筒内には後方に消しゴムを挟着する弾性部と前方の筒部に突起を有した消しゴムホルダーが突起をスリットと螺旋溝に嵌入した状態で装着されて成り、後軸に対し天冠を回転することで消しゴムが天冠の後端孔から出没可能と成るように構成された上記請求項１〜４記載の複式筆記具。
【請求項６】
上記消しゴム繰り出し装置は、円筒カムの後方に延設した筒部にスリットを設けて、該筒部に後方に消しゴムを止着した消しゴムホルダーがその外周に設けた突起を上記筒部のスリットに嵌入して取付けられ、筒部の外周には内孔部に螺旋溝を設けた樹脂製の内筒が嵌装されて筒部の外周に回転のみ可能に抜け止めされ、消しゴムホルダーの突起が螺旋溝に嵌入され、内筒の後端が後軸の後端から適宜突出して天冠が設けられると共に、後軸に対する天冠の回転によって消しゴムを内筒の後端孔から出没可能と成るように構成された上記請求項１〜４記載の複式筆記具。
【発明の詳細な説明】
【０００１】
【産業状の利用分野】
本発明は、３種の筆記体の先端を先軸先端口に於いて交互に出没自在とし、且つ天冠の後端孔から消しゴムを出没自在とした複式筆記具の提供に関する。
【０００２】
【従来の技術】
従来、複式筆記具の一例としては、同出願人による実開昭６４ー３４９１号公報に見られるように、２本の筆記体を案内する摺動溝を有して先軸に対し固着されるガイド筒と、当該ガイド筒に嵌装される二本の筆記体に取付けられた摺動コマに接するカム斜面を前端部に有すると共に、後端はノック部となしてキャップに対し軸方向に移動自在に、且つ円周方向の回転は一体となるよう装着された円筒カムを備え、先軸に対するキャップの回転操作により二本の筆記体を先軸先端口に於いて選択的に出没可能とした複式筆記具が存在する。又、本願の従来例として、同出願人による実開昭６０ー１２０８８９号公報に見られるように、キャップ後端から突出した天冠を回転させて消しゴムを出没させるようにした複式筆記具が存在する。又、従来例で３種の筆記体の選択を可能とした場合、第１、第３の筆記体の選択は円筒カムの回転規制でハッキリと位置決めされるが、第２の筆記体の選択は位置決めが曖昧となり、意識して位置決めするなど面倒となる。
【０００３】
【発明が解決しようとする課題】
上記の従来例には、多くの部位に金属部品が使用され、構造も複雑で、部品点数も多くなりコスト高となる問題点がある。又、先軸に対しキャップが長いのでデザイン上の融通性に難点があるのと、筆記体の出没操作で一方の手で軸先を、他方の手で軸後端を掴んで回転操作を行うため使い勝手が悪い欠点がある。
又更に、本願の目的はより便利な３種の筆記体を選択可能としたことと、より使用頻度の高い第１、第２の筆記体を円筒カムの回転規制でハッキリした選択操作を可能とし、必要により第３の筆記体を容易に選択可能とすることにある。
【０００４】
【課題を解決するための手段】
上記の課題を解決する為に案出された本発明の複式筆記具は、樹脂製の先軸と樹脂製の中軸の先方を互いに回転不能且つ抜け止め状態に固定し、中軸に一体化したガイド部の３箇所の案内溝に、夫々３種の筆記体をガイド部と摺動コマとの間にリターンスプリングを附勢して前後動自在に嵌装し、軸方向に変位するカム斜面を前端部に円周状に設けた円筒カムを中軸に対し回転可能に抜け止めし、各摺動コマをカム斜面に当接させることにより先軸又は中軸に対する円筒カムの回転によって交互に前後動させて、各筆記体の先端を先軸の先端口から選択的に出没可能とした複式筆記具に於いて、円筒カムの後方に軸方向に一体で接続した消しゴム繰り出し装置が配設されて、円筒カム及び消しゴム繰り出し装置を被覆して樹脂製の後軸が上記中軸の後方に所定範囲の軸推移と共に回転可能に止着され、消しゴム繰り出し装置の後端部が後軸後端孔から適宜突出され、且つ、円筒カムは後軸に対し回転方向で一体と成され、中軸に対する後軸の回転によって交互に各摺動コマを前後動させて、各筆記体の先端を先軸先端口から突出可能とし、後軸に対する消しゴム繰り出し装置の後端部を回転することで消しゴムが出没可能となるように構成され、
【０００５】
中軸に対する円筒カムの回転に付いて、円筒カムの外周側面に設けた突起が中軸の外周側面に穿設した周溝に嵌入して円筒カムが中軸に対し抜け止めされると共に、円筒カムの先端で夫々の筆記体が先軸先端口から突出される範囲、略２４０度に回転するよう周溝が形成され、第２の筆記体が突出する位置、即ち略１２０度位置で周溝の後壁に段部を形成して上記突起が段部に当接することで円筒カムの回転阻止を可能とし、後軸と連動して円筒カムを所定範囲で軸推移した時に当接が解除されて、更に円筒カムが略１２０度回転可能となって第３の筆記体が突出可能となるように構成されたことを特徴とする複式筆記具である。
【０００６】
以上により、本願複式筆記具は部品点数が省略され構造が簡単なので、組み立てが容易となりコストダウンが可能となる。又、後軸（キャップ）が適宜長さに設定できるので、デザイン上の融通性があり、又、回転操作がし易くなる。
又、より使用頻度の高い第１、第２の筆記体を円筒カムの回転規制でハッキリした選択操作を可能とし、必要により第３の筆記体が容易に選択可能となる。
【０００７】
【実施例】
先ず、図１乃至図６は本発明の実施例を示しており、図１は第１の実施例である。第１の実施例である複式筆記具は、ガイド筒２を一体に備えた中軸１、先軸３、円筒カム５、一対の摺動コマ６ａ，６ｂ，６ｃ（図示せず）、シャープペンシル筆記体７、ボールペン等筆記体８ａ，８ｂ、内筒３４、消しゴムホルダー４０、消しゴム４５を主な構成要素とする。先ず、中軸１は樹脂製で、図１及び図４に示すように、略中央部から後端まで側面に開口した軸方向に長い案内溝９ａ，９ｂ，９ｃが円周方向で夫々１２０度位置に割り付けられてガイド筒２が設けられている。ガイド筒２の前半部には各案内溝９ａ，９ｂ，９ｃと連通して孔３２ａ、３２ｂ，３２ｃ（図示せず）を有した仕切り部１６を備えて前端を開口した筒部１０が設けられ、筒部１０の後端に段部３１を有して段部３１の前方外周部には膨出状の係合部１３が形成されている。尚、中軸１の内周に一体にリブ又は仕切り部等を形成して摺動コマを案内するガイド部と成すことも可能である。
又、中軸１と別体でガイド筒を設けて相互を固定することも可能である。
【０００８】
又、中軸１の後方側面には図３に示すように縦溝１８が先方の傾斜面５０を介して巾狭部５１が周溝１９に接続されて略Ｌの字状の窓部が穿設されている。又後述するが、円筒カム５の突起１７は縦溝１８より挿入され、突起１７が傾斜面５０を弾性的に拡開して巾狭部５１を通過して周溝１９内に入る。円筒カム５は突起１７が周溝１９の周方向の後壁に当接しながら略２４０度回転して、シャープペンシル筆記体７、ボールペン等筆記体８ａ，８ｂの筆記部が先軸先端口から交互に出没することになる。又、周溝１９はシャープペンシル筆記体７が突出するときの突起１７の位置で円筒カム５が軸推移可能なように巾広溝５２が設けられ、筆記体の収納時又はボールペン等筆記体８ａ，８ｂが突出するときの突起１７の位置で前壁５５により巾狭溝５３ａ，５３ｂにより軸推移が規制される。
又、ボールペン筆記体８ａが突出するときの突起１７の位置で円筒カム５が回転阻止されるように突起１７の側面が当接する段部５４ｂが後壁５４ａと５４ｃの接続部に形成されている。段部５４ｂまでの円筒カム５の回転範囲は略１２０度である。
【０００９】
先軸３は、前方が先細状で、内孔部先端には内段部２７を有して先端口が設けられている。又、後端孔には、前記ガイド筒の筒部１０の外周部に設けられた係合部１３と迎合して筒部１０と抜け止め且つ回転止めされる係合溝１２が設けられている。尚、筒部１０と先軸３は適宜な力で着脱可能に固定される。（実開昭６４ー３４９１号公報の先軸の構成と同じ）尚、先軸３と中軸１の接合は螺子接合であってもよい。
【００１０】
円筒カム５は筒状を成し、前端縁に円周状に前後に変位するカム斜面１４を有し、カム斜面１４の最前端部には切欠１５が形成されている。又、円筒カム５の側面には前記中軸１の縦溝１８に挿入して弾性的に周溝１９に嵌入して一定範囲（略２４０度）で回転且つ抜け止めする突起１７が形成されている。
又、前記円筒カム５は段部２０ａの後方に延設した筒部２０を有し、筒部２０の内孔部には螺旋溝３３が形成されている。
【００１１】
又、摺動コマ６ａは、外面に突起２２ａを有して、突起２２ａの後端面には中央部が突出してその両側が前述した円筒カム５のカム斜面１４と略同勾配のカム斜面を有している。又、芯パイプ２３のフランジ部２４に当接して、芯パイプ２３の後方を長く突出して嵌着する孔が設けられている。又、摺動コマ６ｂは摺動コマ６ａと同様に突起２２ｂとカム斜面を有し、先端にはボールペン等筆記体８ａの後端を止着する係止部２６が設けられている。尚、係止部はパイプ状に成して筆記体の後端を嵌着することも可能である。又、摺動コマ６ｃ（図示せず）も上記摺動コマ６ｂと同様に成され、ボールペン等筆記体８ｂが接続される。
【００１２】
シャープペンシル筆記体７は、一般的なチャック機構を内蔵し、後端にチャック機構と連結した継手２９を介して芯パイプ２３に接合し、芯パイプ２３の後方に設けたフランジ部２４に当接して摺動コマ６ａが嵌着され、摺動コマ６ａの後端から突出した芯パイプ２３の後端孔は尾栓２５等で閉塞されている。芯の繰り出しは、シャープペンシル筆記体７の先端の段部２８が先軸３の内段部２７に当接した状態で、摺動コマ６ａの軸推移によりチャックを移動して行われる。
【００１３】
ところで、前記中軸１で、周溝１９の適宜前方の側面に円周状の鍔部１ａが形成され、鍔部１ａの後方近傍に突状の係止部１ｂが形成されている。又、後軸４の前端内孔に円周溝状の係止部４ｃが形成され、後方内孔には段部４ｂと更に軸方向のリブ４ａが形成されている。又、前記円筒カムの筒部２０の周面に鍔部２０ｂとその後方に軸方向の溝２１が形成されている。後軸４は上記筒部２０を被覆する状態で嵌装され、上記リブ４ａが上記溝２１に嵌入し、段部４ｂが鍔部２０ｂに略当接状態となり、更に上記係止部４ｃが上記係止部１ｂに弾性的に係合する。以上で、中軸１に対し後軸４はその前端が上記鍔部１ａに当接する範囲で軸推移可能、且つ、回転可能に止着されると共に円筒カム５は後軸４に対し前後動のみ可能に回転止めされる。
【００１４】
又、内筒３４は樹脂製の筒状体で、後端に鍔状の天冠３５を有し、前方に底部３７とその先端に係止部３８を有している。又、天冠３５と底部３７を繋ぐ筒部の側面には対向する一対のスリット３６が穿設されている。内筒内には後端に消しゴム４５を止着した消しゴムホルダー４０が装着される。消しゴムホルダー４０は後方に消しゴム４５を挟着する一対の弾性片４３が形成され、弾性片４３の内面には係止突起４４を有している。又、前方の筒部４１の外周には突起４２が形成されている。消しゴムホルダー４０は突起４２と弾性片４３を内筒部のスリット３６に嵌装し、突起４２が更に螺旋溝３３に嵌入した状態で内筒３４に配設されている。
【００１５】
以上で、内筒３４は消しゴムホルダーの突起４２を筒部２０の螺旋溝３３に係合するように適宜回転しながら前記円筒カムの筒部２０に嵌装して、天冠３５が筒部２０の後端に当接すると共に、筒部２０の内孔前方に設けた段部３９に内筒の係止部３８が係止して内筒３４は筒部２０に対し回転のみ可能に抜け止めされる。以上で、後軸４に対し天冠３５を回転すると消しゴムホルダー４０が前後動して消しゴム４５が天冠の後端孔３５ａから出没可能となる。
【００１６】
次に、組立順序で説明すると、シャープペンシル筆記体７、ボールペン等筆記体８ａ，８ｂは後端に夫々の摺動コマ６ａ、６ｂ，６ｃを接続させて、前述の中軸のガイド筒２の各案内溝９ａ、９ｂ，９ｃに移動自在に嵌装され、各摺動コマ６ａ、６ｂ，６ｃの前端面と各案内溝９ａ、９ｂ，９ｃ前面の仕切り部１６との間に介装したリターンスプリング３０ａ、３０ｂ，３０ｃにより後方へ附勢される。続いて円筒カム５を中軸１の後端孔に挿入して突起１７を周溝１９に弾性的に嵌入させて、中軸１に対して円周方向に略２４０度で回転自在且つ抜け止めして止着される。又、シャープペンシル筆記体７が突出した状態で、円筒カム５は中軸１に対して芯繰り出しに必要なストローク分前後動可能と成され、筆記体の収納時又はボールペン等筆記体８ａ，８ｂの突出した状態で若干前後動する。
又、各摺動コマ６ａ、６ｂ，６ｃは常時リターンスプリング３０ａ、３０ｂ，３０ｃによって後方へ附勢されているので、常にその突起２２ａ、２２ｂ，２２ｃのカム斜面を円筒カム５のカム斜面１４に接触した状態を保っている。
【００１７】
又、中軸１の段部３１の前面に先軸３の後端面が当接状態で、筒部１０の係合部１３が先軸３の係合溝１２に弾性的に嵌着して、先軸３と中軸１が回転止め且つ抜け止め状態に固定される。尚、先軸３は適宜な力で着脱可能になっている。この状態で、先軸３又は中軸１に対して円筒カム５を一方に回転すると、摺動コマ６ａが前進して円筒カム５のカム斜面１４の最前端の切欠１５が一方のシャープペンシル筆記体７の摺動コマ６ａの突起２２ａに係止して筆記先端部が先軸先端口から突出状態になる。又、先軸３又は中軸１に対して円筒カム５を他方に回転すると、摺動コマ６ａが後退してシャープペンシル筆記体７の筆記先端部が先軸先端口から没入すると共に、摺動コマ６ｂが前進して１つ目のボールペン等筆記体８ａの筆記先端部が先軸先端口から突出する。その時、上述したように円筒カムの突起１７が周溝１９の段部５４ｂに当接する。この状態から、中軸１に対し後軸４を前進して前端を中軸の鍔部１ａに当接させると、上記突起１７と段部５４ｂの当接が解除される状態となり、そのまま円筒カムを回転すると摺動コマ６ｂが後退してボールペン等筆記体８ａの筆記先端部が先軸先端口から没入すると共に、摺動コマ６ｃが前進して２つ目のボールペン等筆記体８ｂの筆記先端部が先軸先端口から突出する。
【００１８】
次に、円筒カム後方の筒部２０を被覆して後軸４が中軸１の鍔部１ａに当接した状態で中軸１に対し止着される。この状態で円筒カムの筒部２０は後軸のリブ４ａが筒部の溝２１に嵌入して円筒カム５は後軸４に対し前後動のみ可能に回転止めされる。尚、後軸４と円筒カム５の回転止めの為の手段は上記以外にも設計都合で設けることも可能である。
一方、消しゴム４５を止着した消しゴムホルダー４０を内筒３４内に嵌装した状態で円筒カムの筒部２０の後端から回転を加えながら挿入して、天冠３５の前端を筒部２０の後端に当接させた状態で筒部２０に対し回転方向のみ可能に止着する。以上により、後軸４に対し天冠３５を左右に回転すると天冠の後端孔３５ａから消しゴム４５が出没する。
【００１９】
又、図５及び図６は円筒カムの突起１７と中軸１｀の係合状態を示す他の対応例を示している。この場合には周溝６０に突起１７を嵌装する手段として、中軸１｀の後端から突起１７を嵌装するガイド溝６１の上壁に傾斜面６３を有した仕切り壁６２を設けている。仕切り壁６２を設けた理由は、上記係合部に於ける中軸１｀の剛性を強化することにある。
【００２０】
又、図２は本発明の第２の実施例を示しており、基本的には第１の実施例と同じである。以下、相違点のみ概説する。
先ず、内筒７５前方の筒部内孔に螺旋溝７６が形成されている。又、円筒カム７０の長手方向略中央の外周に後軸７４の内孔と前後動のみ可能に回転止めする軸部７１が設けられている。軸部７１と後軸７４の内孔との相互間にはリブと溝との係合又は異形断面形状等が施される。（図示せず）
又、上記軸部７１の後端近傍に係止部７２が形成され、更に後方にスリット７３が形成された筒部が延設されている。
又、上記内筒７５はスリットを有した円筒カムの筒部に被嵌されて円筒カムの係止部７２に回転方向のみ可能に係止する係止部７８が設けられ、内筒７５後端の天冠７７が後軸７４の後端から突出状態と成されている。
以上により、後軸７４に対し天冠７７を左右に回転すると消しゴムは後端孔から出没可能となる。
【００２１】
ところで、前記シャープペンシル筆記体７が第１の筆記体、ボールペン等筆記体８ａが第２の筆記体、ボールペン等筆記体８ｂが第３の筆記体である。
尚、実施例とは別に３種の筆記体を仕様に応じて、芯径、芯色を変えた３種のシャープペンシル筆記体、ボール径、インク色を変えた３種のボールペン等筆記体、或いはシャープペンシル筆記体とボールペン等筆記体を組み合わせた３種の筆記体などで設けられる。
【００２２】
【作用】
先ず、第１の実施例に於いて、先軸３又は中軸１に対して後軸４を一方に回転すると、図１に示すように円筒カム５のカム斜面１４の先端に設けた切欠１５が一方のシャープペンシル筆記体７の摺動コマ６ａと係合してその筆記先端部を先軸先端口から突出する。この時、円筒カム５の突起１７は中軸１の周溝１９で巾広溝５２に位置している。この状態で天冠３５の後端をノックして円筒カム５を軸推移すると、その動作が摺動コマ６ａ、芯パイプ２３、シャープペンシル筆記体７に伝達され、筆記先端部の段部２８が先軸３の内段部２７に当接した状態から継手２９と共にチャックが軸推移して芯が繰り出される。又、先軸３又は中軸１に対して後軸４を他方に回転すると、シャープペンシル筆記体７が後退し、代わりにボールペン等筆記体８ａの筆記先端部が先軸先端口から突出する。その時円筒カムの突起１７が周溝の段部５４ｂに当接するのでハッキリと位置決めされる。又、この状態から後軸４の前端を中軸の鍔部１ａに当接させて更に回転するとボールペン等筆記体８ａが後退し、代わりにボールペン等筆記体８ｂの筆記先端部が先軸先端口から突出する。
【００２３】
次に、後軸４に対して天冠３５を左右に回転すると、消しゴムホルダー４０が前後動して後端孔３５ａから消しゴム４５が出没する。
又、第２の実施例は第１の実施例と同じであり、その説明は省略する。
【００２４】
【発明の効果】
本発明は以上のように、従来例に対し金属が樹脂に代替えされ、部品点数が省略されて構造が単純化され、且つ、組立てが容易となりコスト低減が達成可能となる。又、後軸（キャップ）が適宜長さに設定できるので、デザイン上の融通性があり、又、回転操作がし易くなる。
又更に、より便利な３種の筆記体が選択可能となり、且つ、使用頻度の高い第１、第２の筆記体を円筒カムの回転規制でハッキリした選択操作を可能とし、必要に応じて第３の筆記体が容易に選択可能となる。
【図面の簡単な説明】
【図１】本発明の第１の実施例を示す全体の一部非断面の縦断面図である。
【図２】本発明の第２の実施例を示す全体の一部非断面の縦断面図である。
【図３】円筒カムの突起と中軸の周溝との係合状態を示す説明図である。
【図４】ガイド筒の横断面図である。
【図５】円筒カムの突起と中軸の周溝との係合状態の他の対応例を示す説明図である。
【図６】図５に於ける係合部の要部断面図である。
【符号の説明】
１  中軸
１｀  中軸
１ａ  鍔部
１ｂ  係止部
２  ガイド筒
３  先軸
４  後軸
４ａ  リブ
４ｂ  段部
４ｃ  係止部
５  円筒カム
６ａ  摺動コマ
６ｂ  摺動コマ
６ｃ  摺動コマ
７  シャープペンシル筆記体
８ａ  ボールペン等筆記体
８ｂ  ボールペン等筆記体
９ａ  案内溝
９ｂ  案内溝
９ｃ  案内溝
１０  筒部
１１  ノックスプリング
１２  係合溝
１３  係合部
１４  カム斜面
１５  切欠
１６  仕切り部
１７  突起
１８  縦溝
１９  周溝
２０  筒部
２０ａ  段部
２０ｂ  鍔部
２１  溝
２２ａ  突起
２２ｂ  突起
２２ｃ  突起
２３  芯パイプ
２４  フランジ部
２５  尾栓
２６  係止部
２７  内段部
２８  段部
２９  継ぎ手
３０ａ  リターンスプリング
３０ｂ  リターンスプリング
３０ｃ  リターンスプリング
３１  段部
３２ａ  孔
３２ｂ  孔
３２ｃ  孔
３３  螺旋溝
３４  内筒
３５  天冠
３５ａ  後端孔
３６  スリット
３７  底部
３８  係止部
３９  段部
４０  消しゴムホルダー
４１  筒部
４２  突起
４３  弾性片
４４  係止突起
４５  消しゴム
５０  傾斜面
５１  巾狭部
５２  巾広部
５３ａ  巾狭溝
５３ｂ  巾狭溝
５４ａ  後壁
５４ｂ  段部
５４ｃ  後壁
５５  前壁
６０  周溝
６１  ガイド溝
６２  仕切り壁
６３  傾斜面
７０  円筒カム
７１  軸部
７２  係止部
７３  スリット
７４  後軸
７５  内筒
７６  螺旋溝
７７  天冠
７８  係止部
【図１】
0003602213.tif 000002
【図２】
0003602213.tif 000003
【図３】
0003602213.tif 000004
【図４】
0003602213.tif 000005
【図５】
0003602213.tif 000006
【図６】
0003602213.tif 000007